(57)【要約】【課題】建築内部に設けられる界壁や間仕切壁を形成する遮音パネルにおいて、製造コストを抑えかつ施工を容易にする。【解決手段】縦框材２ａ及び横框材２ｂを矩形枠状に組み立ててなる枠体２と、この枠体２の両面に設けられた石膏ボード４と、を備え、前記両石膏ボード４のうち少なくとも一方の石膏ボード４の裏面に板状の合板５を設ける。【選択図】図１
2006169735.tif 000002
【特許請求の範囲】
【請求項１】
縦框材及び横框材を矩形枠状に組み立ててなる枠体と、この枠体の両面に設けられた面材と、を備え、
前記両面材のうち少なくとも一方の面材の裏面に、板状の遮音材が設けられていることを特徴とする遮音パネル。
【請求項２】
前記枠体内には補強桟材が縦横に設けられており、前記遮音材は前記補強桟材と前記枠体と前記面材とで囲まれる中空部に配置されていることを特徴とする請求項１に記載の遮音パネル。
【請求項３】
前記面材は石膏ボードであり、前記遮音材は合板であることを特徴とする請求項１又は２に記載の遮音パネル。
【請求項４】
前記枠体内には、吸音材が充填されていることを特徴とする請求項１〜３のいずれか一項に記載の遮音パネル。
【請求項５】
前記吸音材はグラスウールであることを特徴とする請求項４に記載の遮音パネル。
【発明の詳細な説明】
【技術分野】
【０００１】
本発明は、建築内部に設けられる界壁や間仕切壁を形成する遮音パネルに関する。
【背景技術】
【０００２】
パネル工法における界壁や間仕切壁は遮音パネルによって形成されることがある。この遮音パネルは、芯材によって組み立てられた枠体に遮音材である石膏ボード等を貼着し、この石膏ボードが貼着された枠体内にグラスウール等の吸音材を充填するものが知られている（特許文献１参照）。
【０００３】
ところで、遮音性能は周波数域によって異なっており、グラスウール等の吸音材は、高周波数域の音波は効率的に吸音できるが、低周波数域の音波に対しては効果が小さい。この低周波数域の音を遮音するには、質量則により壁パネルの面密度を大きくする必要があるため、遮音パネルの石膏ボードは複数枚重ねて貼着されたり、通常よりも厚い石膏ボードを貼着していた。
【特許文献１】特開平７−１５８１７９号公報
【発明の開示】
【発明が解決しようとする課題】
【０００４】
しかしながら、遮音パネルの石膏ボードを厚くしたり石膏ボードを複数枚重ねると、パネルの総厚さが他のパネルよりも厚くなり、現場での施工が煩雑になるという問題があった。また、遮音パネルの石膏ボードの厚さを変えずに枠体を形成する芯材の幅を変えると、他のパネルで使用する芯材ではサイズが合わないため新たな種類の芯材を製造しなければならない。よって、工場で生産する創作部材の種類が増え、製造コストが上がるという問題があった。
【０００５】
本発明の課題は、建築内部に設けられる界壁や間仕切壁を形成する遮音パネルにおいて、製造コストを抑えかつ施工を容易にすることである。
【課題を解決するための手段】
【０００６】
以上の課題を解決するため、請求項１に記載の発明は、例えば図１に示すように、縦框材２ａ及び横框材２ｂを矩形枠状に組み立ててなる枠体２と、この枠体２の両面に設けられた面材（例えば、石膏ボード４）と、を備え、
前記両面材（例えば、石膏ボード４）のうち少なくとも一方の面材（例えば、石膏ボード４）の裏面に、板状の遮音材（例えば、合板５）が設けられていることを特徴としている。
【０００７】
請求項１に記載の発明によれば、縦框材２ａ及び横框材２ｂを矩形枠状に組み立ててなる枠体２の両面に設けられた両面材（例えば、石膏ボード４）のうち、少なくとも一方の面材（例えば、石膏ボード４）の裏面に、板状の遮音材（例えば、合板５）が設けられている。よって、音は遮音材（例えば、合板５）によって遮音され、遮音パネル１の遮音性能が向上する。さらに、面材（例えば、石膏ボード４）の面密度を遮音材（例えば、合板５）の分だけ大きくすることができるため、質量則により、低周波数域の音に対する遮音性能を向上させることができる。また、遮音材（例えば、合板５）は面材（例えば、石膏ボード４）の裏面に設けられているため、遮音パネル１の総厚さを他のパネルの総厚さに合わせることができ、現場での施工が容易になる。さらに、遮音パネル１の枠体２を形成する縦框材２ａ及び横框材２ｂは、他のパネルに使用するものを転用できるため、遮音パネル１の製造コストを抑えることができる。
【０００８】
請求項２に記載の発明は、例えば図１に示すように、請求項１に記載の遮音パネル１において、前記枠体２内には補強桟材３が縦横に設けられており、前記遮音材（例えば、合板５）は前記補強桟材３と前記枠体２と前記面材（例えば、石膏ボード４）とで囲まれる中空部に配置されていることを特徴としている。
【０００９】
請求項２に記載の発明によれば、枠体２内には補強桟材３が縦横に設けられ、補強桟材３と枠体２と面材（例えば、石膏ボード４）とで囲まれる中空部に遮音材（例えば、合板５）が配置されている。よって、遮音パネル１にかかる荷重に対する強度を上げることができ、遮音パネル１が荷重によって変形したり破壊されるのを防ぐことができる。
【００１０】
請求項３に記載の発明は、例えば図１に示すように、請求項１又は２に記載の遮音パネル１において、前記面材（例えば、石膏ボード４）は石膏ボード４であり、前記遮音材（例えば、合板５）は合板５であることを特徴としている。
【００１１】
請求項３に記載の発明によれば、面材（例えば、石膏ボード４）は石膏ボード４であるため、遮音パネル１の遮音性及び耐火性が向上する。また、遮音材（例えば、合板５）は加工が容易な合板５であるため、遮音パネル１の遮音性が向上するとともに、施工が容易になる。さらに、石膏ボード４及び合板５は安価であるため、遮音パネル１の製造コストを抑えることができる。
【００１２】
請求項４に記載の発明は、例えば図１に示すように、請求項１〜３のいずれか一項に記載の遮音パネル１において、前記枠体２内には、吸音材（例えば、グラスウール６）が充填されていることを特徴としている。
【００１３】
請求項４に記載の発明によれば、遮音パネル１の枠体２内には吸音材（例えば、グラスウール６）が充填されているため、遮音材（例えば、合板５）によって遮音されなかった音が吸音材（例えば、グラスウール６）によって吸音される。よって、遮音パネル１の遮音性能が向上する。
【００１４】
請求項５に記載の発明は、例えば図１に示すように、請求項４に記載の遮音パネル１において、前記吸音材（例えば、グラスウール６）はグラスウール６であることを特徴としている。
【００１５】
請求項５に記載の発明によれば、吸音材（例えば、グラスウール６）は断熱性を有するグラスウール６であるため、遮音パネル１の遮音性能が向上するとともに、断熱性能が向上する。
【発明の効果】
【００１６】
本発明によれば、音は遮音材によって遮音され、遮音パネルの遮音性能が向上する。さらに、面材の面密度を遮音材の分だけ大きくすることができるため、質量則により、低周波数域の音に対する遮音性能を向上させることができる。また、遮音パネルの総厚さを他のパネルの総厚さに合わせることができ、現場での施工が容易になる。さらに、遮音パネルの枠体を形成する縦框材及び横框材は、他のパネルに使用するものを転用できるため、製造コストを抑えることができる。
【発明を実施するための最良の形態】
【００１７】
以下、図を参照して本発明を実施するための最良の形態を詳細に説明する。
図１は、本発明に係る遮音パネル１である。この遮音パネル１は、縦框材２ａ及び横框材２ｂを矩形枠状に組み立ててなる枠体２と、この枠体２の両面に設けられた石膏ボード４と、を備えている。
【００１８】
図１に示すように、枠体２を形成する縦框材２ａ及び横框材２ｂはともに長尺の部材であり、これらの縦框材２ａ及び横框材２ｂは同じ幅を有している。また、枠体２の内部には、複数の長尺な部材である補強桟材３が縦横にかつ格子状に組み付けられており、これら補強桟材３の端面は枠体２に固定されている。
【００１９】
枠体２の両面にはビス等の止着材によって石膏ボード４が固定されており、補強桟材３と枠体２と石膏ボード４とで囲まれる中空部には、板状の合板５がそれぞれ配置されている。これらの合板５は、石膏ボード４に止着材によって固定されている。
【００２０】
図２に示すように、合板５と枠体２と補強桟材３とで囲まれる中空部にはグラスウール６が充填されている。
【００２１】
次に、以上のように構成される遮音パネル１の製造手順について説明する。
まず、縦框材２ａ及び横框材２ｂを矩形に枠組みして枠体２を形成し、この枠体２内に複数の補強桟材３を組み付ける。
【００２２】
次に、２枚の石膏ボード４のそれぞれ一面に、複数の板状の合板５を固定する。なお、石膏ボード４を枠体２に固定したときに、合板５が補強桟材３と枠体２と石膏ボード４とで囲まれる中空部に配置されるような位置に合板５を固定する。
【００２３】
そして、枠体２の一方の面に合板５が固定された石膏ボード４を止着材によって固定し、補強桟材３と枠体２と合板５とで囲まれる中空部にグラスウール６を充填する。その後、枠体２の他方の面に合板５が固定された石膏ボード４を止着材によって固定する。
【００２４】
以上のように構成される遮音パネル１によれば、縦框材２ａ及び横框材２ｂを矩形枠状に組み立ててなる枠体２の両面に設けられた両石膏ボード４の裏面に、それぞれ板状の合板５が設けられている。よって、音は合板５によって遮音され、遮音パネル１の遮音性能が向上する。さらに、石膏ボード４の面密度を合板５の分だけ大きくすることができるため、質量則により、低周波数域の音に対する遮音性能を向上させることができる。また、合板５は石膏ボード４の裏面に設けられているため、遮音パネル１の総厚さを他のパネルの総厚さに合わせることができ、現場での施工が容易になる。さらに、遮音パネル１の枠体２を形成する縦框材２ａ及び横框材２ｂは、他のパネルに使用するものを転用できるため、遮音パネル１の製造コストを抑えることができる。
【００２５】
また、枠体２内には補強桟材３が縦横に設けられている。よって、遮音パネル１にかかる荷重に対する強度を上げることができ、遮音パネル１が荷重によって変形したり破壊されるのを防ぐことができる。
【００２６】
さらに、枠体２には石膏ボード４が固定されているため、遮音パネル１の遮音性及び耐火性が向上する。また、石膏ボード４の裏面には加工が容易な合板５が固定されているため、遮音パネル１の遮音性が向上するとともに、施工が容易になる。さらに、これらの石膏ボード４及び合板５は安価であるため、遮音パネル１の製造コストを抑えることができる。
【００２７】
また、遮音パネル１の枠体２内にはグラスウール６が充填されているため、合板５によって遮音されなかった音がグラスウール６によって吸音される。よって、遮音パネル１の遮音性能が向上する。また、グラスウール６は断熱性を有するため、遮音パネル１の断熱性能が向上する。
【００２８】
なお、以上の実施形態においては、遮音材を合板としたが、本発明はこれに限定されるものではなく、鉄や鉛等の金属板等でも良い。また、吸音材をグラスウールとしたが、ロックウールなどでも良い。
【図面の簡単な説明】
【００２９】
【図１】本発明を適用した遮音パネルの実施形態の構成を示す分解斜視図である。
【図２】本発明を適用した遮音パネルの実施形態の構成を示す縦断面図である。
【符号の説明】
【００３０】
１  遮音パネル
２  枠体
２ａ  縦框材
２ｂ  横框材
３  補強桟材
４  石膏ボード
５  合板
６  グラスウール
【図１】
2006169735.tif 000003
【図２】
2006169735.tif 000004